(57)【特許請求の範囲】
【請求項１】
基板上の画像表示領域に、複数のデータ線及び複数の走査線と、前記データ線及び前記走査線に夫々電気的に接続されると共に表示素子を夫々含む複数の画素部とを備える電気光学パネルを含む電気光学装置を駆動するための駆動回路であって、
前記画像表示領域を、前記走査線に沿う分割線により分割して得られる複数の部分領域について、該複数の部分領域に対して交替に且つ各部分領域における前記複数の走査線に対して順番に、走査信号を供給する走査線駆動回路と、
前記データ線の一端側に夫々接続され、基準電位に対して第１及び第２極性のいずれかの極性を有すると共に前記画像表示領域に表示画像を表示するための画像信号を前記データ線に夫々供給する複数のサンプリングスイッチと、
前記データ線の他端側に夫々接続され、前記画像信号と異なる極性を有すると共に前記画像表示領域に特定色のベタ画像を表示するためのベタ信号を、前記画像信号が前記データ線に供給される期間とは異なる期間に、前記データ線に夫々供給する複数のベタ信号供給用スイッチと、
前記複数の部分領域のうち対をなす二つの部分領域について、各部分領域における一の走査線に対して前記走査信号が供給された後、該一の走査線に再び前記走査信号が供給されるまでの間、前記二つの部分領域の一方における前記画素部に前記画像信号を前記サンプリングスイッチ及び前記データ線を介して供給し、前記二つの部分領域の他方における前記画素部に前記ベタ信号を前記ベタ信号供給用スイッチ及び前記データ線を介して供給し、更に、前記二つの部分領域の一方と他方とが所定周期で入れ替わるように、前記画像信号及び前記ベタ信号を供給する画像信号供給回路と
を備え、
前記サンプリングスイッチは、前記画像信号を、画像信号供給期間を規定する第１選択信号に応じて供給し、
前記ベタ信号供給用スイッチは、前記ベタ信号を、ベタ信号供給期間を規定する第２選択信号に応じて供給し、
前記二つの部分領域の一方における前記走査線に前記走査信号が供給される走査信号供給期間内に、前記第１選択信号を前記複数のサンプリングスイッチに対して順番に供給し、前記二つの部分領域の他方における前記走査線に前記走査信号が供給される走査信号供給期間内に、前記第２選択信号を前記複数のベタ信号供給用スイッチに対してまとめて供給する選択信号供給回路を更に備え、
前記画像信号供給回路は、前記画像信号の水平帰線期間に前記ベタ信号を供給し、
前記選択信号供給回路は、前記第２選択信号を前記水平帰線期間に供給し、
少なくともプリチャージ期間にプリチャージ信号を供給するプリチャージ信号供給回路を更に備えており、
前記複数のベタ信号供給用スイッチは夫々プリチャージスイッチとして設けられると共に、前記プリチャージ期間を規定する第３選択信号に応じて前記データ線に前記プリチャージ信号を供給し、
前記選択信号供給回路は、更に、前記一方の部分領域における前記走査線の前記走査信号供給期間内であって、前記第１選択信号の供給に先立って前記第３選択信号を前記複数のベタ信号供給用スイッチにまとめて供給する
ことを特徴とする電気光学装置の駆動回路。
【請求項２】
前記画像信号供給回路は、前記ベタ画像として黒色画像を表示するための黒信号を前記ベタ信号として供給すること
を特徴とする請求項１に記載の電気光学装置の駆動回路。
【請求項３】
前記画像信号供給回路は、前記二つの部分領域の一方と他方とが、前記所定周期として、前記一の走査線に前記走査信号が供給される周期で入れ替わるように、前記画像信号及び前記ベタ信号を供給することを特徴とする請求項１又は２に記載の電気光学装置の駆動回路。
【請求項４】
前記複数の部分領域は、前記分割線により、夫々平面的に見た面積が相互に略等しくなるように分割して得られる二つの部分領域であり、
前記走査線駆動回路は、前記二つの部分領域に対して交互に且つ各部分領域における前記複数の走査線に対して線順次に前記走査信号を供給し、
前記一方の部分領域における前記一の走査線に対し、前記他方の部分領域における前記一の走査線は、前記データ線に沿って前記画像表示領域の半分先に位置することを特徴とする請求項１から３のいずれか一項に記載の電気光学装置の駆動回路。
【請求項５】
前記走査線駆動回路は、
前記一方の部分領域における前記走査線の走査信号供給期間と前記他方の部分領域における前記走査線の走査信号供給期間とが時間軸上で互いに隣接すると共に、
前記一方の部分領域における前記走査線の走査信号供給期間の長さが、前記画像信号供給期間に対応する第１長さとなるように、
且つ前記他方の部分領域における前記走査線の走査信号供給期間の長さが、前記水平帰線期間に対応する、前記第１長さより短い第２長さとなるように、前記走査信号を供給すること
を特徴とする請求項１から４のいずれか一項に記載の電気光学装置の駆動回路。
【請求項６】
請求項１から５のいずれか一項に記載の前記電気光学装置の駆動回路を備えたことを特徴とする電気光学装置。
【請求項７】
前記画素部は、前記表示素子をスイッチング制御する画素スイッチング素子を含み、
前記表示素子は、画素電極及び該画素電極に対向して設けられ、共通電位とされる対向電極間に電気光学物質を挟持してなり、
前記画素スイッチング素子は、前記走査線より供給される前記走査信号に応じて、前記データ線より供給される前記画像信号及び前記ベタ信号を、前記画素電極に供給すると共に、
前記表示素子は、前記画像信号及び前記ベタ信号に基づいて画像表示を行うこと
を特徴とする請求項６に記載の電気光学装置。
【請求項８】
請求項６又は７に記載の電気光学装置を具備してなることを特徴とする電子機器。
【請求項９】
基板上の画像表示領域に、複数のデータ線及び複数の走査線と、前記データ線及び前記走査線に夫々電気的に接続されると共に表示素子を夫々含む複数の画素部とを備える電気光学パネルを含む電気光学装置を駆動するための駆動方法であって、
前記画像表示領域を、前記走査線に沿う分割線により分割して得られる複数の部分領域について、該複数の部分領域に対して交替に且つ各部分領域における前記複数の走査線に対して順番に、走査信号を供給する第１工程と、
前記データ線の一端側に接続されたサンプリングスイッチを介して、基準電位に対して第１及び第２極性のいずれかの極性を有すると共に前記画像表示領域に表示画像を表示するための画像信号を前記複数のデータ線に夫々供給する第２工程と、
前記データ線の他端側に接続されたベタ信号供給用スイッチを介して、前記画像信号と異なる極性を有すると共に前記画像表示領域に特定色のベタ画像を表示するためのベタ信号を、前記画像信号が前記データ線に供給される期間とは異なる期間に、前記複数のデータ線に夫々供給する第３工程と、
前記複数の部分領域のうち対をなす二つの部分領域について、各部分領域における一の走査線に対して前記走査信号が供給された後、該一の走査線に再び前記走査信号が供給されるまでの間、前記二つの部分領域の一方における前記画素部に前記画像信号を前記サンプリングスイッチ及び前記データ線を介して供給し、前記二つの部分領域の他方における前記画素部に前記ベタ信号を前記ベタ信号供給用スイッチ及び前記データ線を介して供給し、更に、前記二つの部分領域の一方と他方とが所定周期で入れ替わるように、前記画像信号及び前記ベタ信号を供給する第４工程と
備え、
前記第２工程において、前記サンプリングスイッチは、前記画像信号を、画像信号供給期間を規定する第１選択信号に応じて供給し、
前記第３工程において、前記ベタ信号供給用スイッチは、前記ベタ信号を、ベタ信号供給期間を規定する第２選択信号に応じて供給し、
前記二つの部分領域の一方における前記走査線に前記走査信号が供給される走査信号供給期間内に、前記第１選択信号を前記複数のサンプリングスイッチに対して順番に供給し、前記二つの部分領域の他方における前記走査線に前記走査信号が供給される走査信号供給期間内に、前記第２選択信号を前記複数のベタ信号供給用スイッチに対してまとめて供給する第５工程を更に備え、
前記第４工程においては、前記画像信号の水平帰線期間に前記ベタ信号を供給し、
前記第５工程においては、前記第２選択信号を前記水平帰線期間に供給し、
少なくともプリチャージ期間にプリチャージ信号を供給する第６工程を更に備えており、
前記第６工程において、前記複数のベタ信号供給用スイッチは夫々プリチャージスイッチとして設けられると共に、前記プリチャージ期間を規定する第３選択信号に応じて前記データ線に前記プリチャージ信号を供給し、
前記第５工程においては、更に、前記一方の部分領域における前記走査線の前記走査信号供給期間内であって、前記第１選択信号の供給に先立って前記第３選択信号を前記複数のベタ信号供給用スイッチにまとめて供給する
ことを特徴とする電気光学装置の駆動方法。
【発明の詳細な説明】
【技術分野】
【０００１】
本発明は、例えば液晶パネル等の電気光学パネルを含む電気光学装置を駆動する駆動回路及び駆動方法、該駆動回路を備えてなる例えば液晶装置等の電気光学装置、並びにそのような電気光学装置を具備してなる例えば液晶プロジェクタ等の電子機器の技術分野に関する。
【背景技術】
【０００２】
この種の駆動回路によって駆動される電気光学装置の一例として、特許文献１から３には、基板上の画像表示領域に、縦横に配線されたデータ線及び走査線、並びにそれらの交点に対応して形成された画素部を備える液晶パネルを有する液晶装置が開示されている。
【０００３】
この液晶パネルでは、各画素部には、駆動回路より出力された走査信号が走査線を介して供給され、駆動回路より第１極性若しくは第２極性に反転された画像信号がデータ線を介して供給される。例えば、駆動回路は、各走査線に線順次に走査信号を供給すると共に、各データ線に画像信号を供給する。また、駆動回路は、画像信号の極性反転を、隣接するドット同士で信号極性が異なるドット反転や隣接する行同士で信号極性が異なるライン反転により行う。
【０００４】
更には、画像表示領域を走査線に沿った分割線によって分割して得られる複数の部分領域を次のように領域走査することにより画像表示を行う独自の駆動方法が本願発明者らによって見出されている。即ち、この駆動方法によれば、各部分領域において走査線が所定の周期で選択されるように、駆動回路によって各走査線に逐次走査信号が供給される。また、相隣接する部分領域の一方に形成された画素部と他方に形成された画素部とが、走査線が選択される周期で互いに異なる極性の画像信号に基づいて駆動されるように、駆動回路によって各データ線に画像信号が供給される。このような駆動方法によれば、一フィールド期間に、各画素部に一画面を表示するための画像信号が極性を変えて二度書き込まれることとなる。
【０００５】
加えて、特許文献１によれば、走査線数がビデオソースの走査線数より多い液晶パネルにおいて画像表示を行う際に、駆動回路によって帰線期間に表示期間の通常動作の２倍の高速走査が行われる。また、特許文献２によれば、駆動回路は、画像信号の入出力特性を液晶パネルの種別に応じて制御する。更に、特許文献３によれば、駆動回路は、水平走査期間内で画像信号の供給に先立って、各データ線に一括してプリチャージ信号の供給を行う。この際、液晶パネルに表示された表示画像における、輝度ムラや色ムラを低減させるため、プリチャージ信号を時間と共に連続的に或いは段階的にプリチャージ電位が変化する信号として生成させる。
【０００６】
【特許文献１】特開平９−２６９７５３号公報
【特許文献２】特開２００２−２２１９４０号公報
【特許文献３】特開平１１−３３７９１０号公報
【発明の開示】
【発明が解決しようとする課題】
【０００７】
上述したように各画素部に書き込まれた画像信号は液晶素子及び液晶素子に並列に付加された蓄積容量において一定期間保持される。このように各画素部が駆動されることにより、画像表示領域に動画像を表示すると、得られる表示画像において残像が視認される、即ち残像感を与えるような画像表示が行われる恐れがある。そして、このような残像感により、液晶パネルにおける表示画像の品質が劣化するという問題点が生ずる。
【０００８】
本発明は、上記問題点に鑑み成されたものであり、電気光学装置において残像感を低減して高品質な画像表示を行うことが可能な駆動回路及び駆動方法、並びにそのような駆動回路を備えてなる電気光学装置、及び該電気光学装置を備えた各種電子機器を提供することを課題とする。
【課題を解決するための手段】
【０００９】
本発明の電気光学装置の駆動回路は上記課題を解決するために、基板上の画像表示領域に、複数のデータ線及び複数の走査線と、前記データ線及び前記走査線に夫々電気的に接続されると共に表示素子を夫々含む複数の画素部とを備える電気光学パネルを含む電気光学装置を駆動するための駆動回路であって、前記画像表示領域を、前記走査線に沿う分割線により分割して得られる複数の部分領域について、該複数の部分領域に対して交替に且つ各部分領域における前記複数の走査線に対して順番に、走査信号を供給する走査線駆動回路と、前記データ線の一端側に夫々接続され、基準電位に対して第１及び第２極性のいずれかの極性を有すると共に前記画像表示領域に表示画像を表示するための画像信号を前記データ線に夫々供給する複数のサンプリングスイッチと、前記データ線の他端側に夫々接続され、前記画像信号と異なる極性を有すると共に前記画像表示領域に特定色のベタ画像を表示するためのベタ信号を、前記画像信号が前記データ線に供給される期間とは異なる期間に、前記データ線に夫々供給する複数のベタ信号供給用スイッチと、前記複数の部分領域のうち対をなす二つの部分領域について、各部分領域における一の走査線に対して前記走査信号が供給された後、該一の走査線に再び前記走査信号が供給されるまでの間、前記二つの部分領域の一方における前記画素部に前記画像信号を前記サンプリングスイッチ及び前記データ線を介して供給し、前記二つの部分領域の他方における前記画素部に前記ベタ信号を前記ベタ信号供給用スイッチ及び前記データ線を介して供給し、更に、前記二つの部分領域の一方と他方とが所定周期で入れ替わるように、前記画像信号及び前記ベタ信号を供給する画像信号供給回路とを備え、前記サンプリングスイッチは、前記画像信号を、画像信号供給期間を規定する第１選択信号に応じて供給し、前記ベタ信号供給用スイッチは、前記ベタ信号を、ベタ信号供給期間を規定する第２選択信号に応じて供給し、前記二つの部分領域の一方における前記走査線に前記走査信号が供給される走査信号供給期間内に、前記第１選択信号を前記複数のサンプリングスイッチに対して順番に供給し、前記二つの部分領域の他方における前記走査線に前記走査信号が供給される走査信号供給期間内に、前記第２選択信号を前記複数のベタ信号供給用スイッチに対してまとめて供給する選択信号供給回路を更に備え、前記画像信号供給回路は、前記画像信号の水平帰線期間に前記ベタ信号を供給し、前記選択信号供給回路は、前記第２選択信号を前記水平帰線期間に供給し、少なくともプリチャージ期間にプリチャージ信号を供給するプリチャージ信号供給回路を更に備えており、前記複数のベタ信号供給用スイッチは夫々プリチャージスイッチとして設けられると共に、前記プリチャージ期間を規定する第３選択信号に応じて前記データ線に前記プリチャージ信号を供給し、前記選択信号供給回路は、更に、前記一方の部分領域における前記走査線の前記走査信号供給期間内であって、前記第１選択信号の供給に先立って前記第３選択信号を前記複数のベタ信号供給用スイッチにまとめて供給する。
【００１０】
本発明の駆動回路によって駆動される電気光学装置では、電気光学パネルにおいて、各画素部には、液晶素子等の表示素子が含まれる他、例えば、表示素子を駆動するための駆動素子として薄膜トランジスタ（Ｔｈｉｎ Ｆｉｌｍ Ｔｒａｎｓｉｓｔｏｒ；以下適宜、“ＴＦＴ”と称する）等の画素スイッチング素子が設けられる。各走査線は、基板上の画像表示領域において、例えば一方向に沿って並べて配線されている。
【００１１】
本発明の駆動回路によれば、電気光学装置の駆動時、電気光学パネルの画像表示領域を分割して得られる複数の部分領域について、各部分領域における画素部を夫々以下に説明するように領域走査する。この際、複数の部分領域は夫々各画素部が画像信号に基づいて駆動される表示領域及び各画素部がベタ信号に基づいて駆動される特定色のベタ画像の表示領域のいずれかとなり、且つ表示領域及びベタ画像の表示領域となる二つの部分領域を対として、各画素部は駆動される。尚、ここでいう「特定色のベタ画像」とは、画像表示領域に表示された例えば黒色のベタな一画面を意味する。この場合、画像表示領域に表示された画面は黒色で全体が塗り潰されたようなものとなる。
【００１２】
以下に上述の領域走査を具体的に説明する。走査線駆動回路から、走査線駆動回路から走査信号が各部分領域に対して交替に供給されると共に、各部分領域では、走査線の配列方向に沿って、例えば部分領域の上から下に向かって各走査線に走査信号が順次供給される。
【００１３】
各データ線の一端側にはサンプリングスイッチが設けられており、各データ線の他端側にはベタ信号供給用スイッチとして例えば黒信号供給用スイッチが設けられている。そして、複数の部分領域のうち対をなす二つの部分領域について、各部分領域における一の走査線に対して走査信号が供給された後、該一の走査線に再び走査信号が供給されるまでの間、一方の部分領域における各走査線の走査信号供給期間内に、画像信号供給回路より出力された第１及び第２極性のいずれかの極性を有する画像信号が複数のデータ線に夫々サンプリングスイッチを介して供給される。尚、「各部分領域における一の走査線に対して走査信号が供給された後、該一の走査線に再び走査信号が供給されるまでの間」における「一の走査線」とは概ね、各部分領域において、当該部分領域の第１番目の走査信号が供給される第１番目の走査線に相当する。
【００１４】
各部分領域における一の走査線に対して走査信号が供給された後、該一の走査線に再び走査信号が供給されるまでの間、他方の部分領域における各走査線の走査信号供給期間内に、画像信号と異なる極性を有するベタ信号として例えば画像表示領域に特定色のベタ画像として前述したような黒色のベタな一画面である黒色画像を表示するための黒信号が画像信号供給回路より出力されて複数のデータ線に夫々黒信号供給用スイッチを介して供給される。尚、他方の部分領域において各走査線に走査信号が供給される期間と、一方の部分領域において各走査線に走査信号が供給される期間とは、時間軸上で互いに異なる位置にある。
【００１５】
ここで、一方の部分領域において選択された走査線に対応する画素部は、走査線より走査信号が供給されることにより、選択された状態となっている。例えば、選択された走査線より走査信号が供給されて画素スイッチング素子がオン状態とされることにより、画素部は選択された状態となる。このように選択された画素部において、表示素子には対応するデータ線より画像信号が供給される。そして、表示素子は画像信号に基づいて画像表示を行う。
【００１６】
また、他方の部分領域において、選択された走査線に対応する画素部は、一方の部分領域における画素部と同様に選択され、対応するデータ線より黒信号が供給される。そして、表示素子は、黒信号に基づいて黒色の画像表示を行う。
【００１７】
このように、一方の部分領域において、各走査線に対応する画素部に書き込まれた画像信号は、当該走査線に対する走査信号の供給が終了した後、次に当該走査線に走査信号が供給されるまでの間、各画素部において保持される。また、他方の部分領域では、各走査線に対応する画素部に書き込まれた黒信号は、当該走査線に対する走査信号の供給が終了した後、次に当該走査線に選択信号が供給されるまでの間、各画素部において保持される。
【００１８】
また、一方の部分領域における一の走査線に対応する画素部が書き込まれた画像信号に基づいて行う画像表示に先立って、他方の部分領域において、一の走査線に対応する画素部が書き込まれた黒信号に基づいて黒色の画像表示を行う。或いは、一方の部分領域における一の走査線に対応する画素部が書き込まれた画像信号に基づいて画像表示を行った後、他方の部分領域において、一の走査線に対応する画素部が書き込まれた黒信号に基づいて黒色の画像表示を行う。そして、一方の部分領域における全ての走査線に対する走査信号の供給が終了した後に、他方の部分領域における全ての走査線に対する走査信号の供給が終了される。若しくは他方の部分領域における全ての走査線に対する走査信号の供給が終了した後に、一方の部分領域における全ての走査線に対する走査信号の供給が終了される。また、一方の部分領域における全ての走査線に対する走査信号の供給が終了すると、各画素部に対する画像信号の書き込みも終了し、他方の部分領域における全ての走査線に対する走査信号の供給が終了すると、各画素部に対する黒信号の書き込みも終了する。
【００１９】
ここで、画像信号供給回路は、対となる二つの部分領域について、所定周期で、画像信号に基づいて画素部の駆動が行われる部分領域と、黒信号に基づいて画素部の駆動が行われる部分領域が交互に入れ替わるように、画像信号及び黒信号を供給する。よって、前述のように一方の部分領域において各画素部に対する画像信号の書き込みが終了した後、これらの画素部には夫々黒信号の書き込みが行われる。また、前述のように他方の部分領域において各画素部に対する黒信号の書き込みが終了した後、これらの画素部には夫々画像信号の書き込みが行われる。
【００２０】
そして、複数の部分領域において夫々、各画素部へ画像信号が書き込まれることにより、表示画像が画像表示領域に表示される。また、これと同様に、複数の部分領域において夫々、各画素部へ黒信号が書き込まれることにより、黒色画像が表示される。
【００２１】
よって、例えば画像表示領域に動画像を表示する際、得られる表示画像を人間の目で観察すると、一方の部分領域において画像表示が行われた後、他方の部分領域において黒色の画像表示が行われることにより、表示画面がリセットされたかのように見える。よって、本発明の駆動回路により駆動される電気光学装置では、表示画像における残像感を低減することが可能となるため、高品質な画像表示を行うことができる。
【００２２】
尚、このように他方の部分領域に黒表示を行いつつ一方の部分領域に画像表示を行うと、通常通りに全領域に画像表示を行う場合と比較して、画面の明るさは半分程度になる。このため、画像信号の輝度を高める調整、例えば、画像信号に係る輝度を２倍にするような調整をしてもよい。
【００２３】
加えて、データ線に供給する画像信号のフィールド周波数を変えないままでこのように他方の部分領域に黒表示を行いつつ一方の部分領域に画像表示を行うと、通常通りのフィールド周波数で画像表示を行う場合と比較して、各画素部に供給される画像信号についてのフィールド周波数が半分程度になる。即ち、半分のフィールド画像が、黒表示によって失われることになる。このため、フィールド周波数を高める調整、例えばバッファを介して画像信号供給回路へ、画像信号を２倍のフィールド周波数で供給するような調整をしてもよい。即ち、例えば、“倍速駆動”してもよい。このように倍速駆動すれば、各画素部には黒信号と交替に画像信号が供給されるので、表示画像上では、特に動画の場合、元のフレーム周波数で表示しているのと同程度のなめらかさが得られることになる。
【００２４】
ここで、画像信号と黒信号とは互いに異なる極性を有している。よって、各データ線に対して、同一のスイッチを介して画像信号及び黒信号を供給するようにすると、当該スイッチにおける画像信号から黒信号或いは黒信号から画像信号への切り替え応答時間が長くなる恐れがある。しかしながら、本発明の駆動回路では、各データ線には、画像信号を供給するためのサンプリングスイッチとは別系統の黒信号供給用スイッチを介して黒信号が供給される。よって、本発明の駆動回路では、前述の切り替え応答時間を無くすことが可能となり、各データ線に対する画像信号及び黒信号の書き込み時間を短縮化させることができる。
【００２５】
本発明の電気光学装置の駆動回路の一態様では、前記画像信号供給回路は、前記ベタ画像として黒色画像を表示するための黒信号を前記ベタ信号として供給する。
【００２６】
この態様によれば、対をなす二つの部分領域について、各部分領域における一の走査線に対して走査信号が供給された後、該一の走査線に再び走査信号が供給されるまでの間、他方の部分領域で黒表示を行いつつ一方の部分領域で画像表示を行うことが可能となる。そして、複数の部分領域において夫々、各画素部へ画像信号が書き込まれることにより、表示画像が画像表示領域に表示され、複数の部分領域において夫々、各画素部へ黒信号が書き込まれることにより、黒色画像が表示される。
【００２７】
本発明の電気光学装置の駆動回路の他の態様では、前記画像信号供給回路は、前記二つの部分領域の一方と他方とが、前記所定周期として、前記一の走査線に前記走査信号が供給される周期で入れ替わるように、前記画像信号及び前記ベタ信号を供給する。
【００２８】
この態様によれば、画像表示領域に、一つの表示画像として例えば静止画像（例えば、フィールド画像或いはフレーム画像）、又は一つのベタ画像として例えば黒色画像が表示されると、各部分領域において各走査線には、複数の部分領域の数に応じた回数だけ走査信号が供給されることなる。よって、一つの表示画像及び黒色画像の表示に要する時間を、通常動作即ち前述の領域走査を行わない場合と同等にするためには、走査線駆動回路及び画像信号供給回路を複数の部分領域の数に応じて倍速駆動すればよい。
【００２９】
ここで、画像信号供給回路からは例えば、画像信号と、ベタ信号として黒信号とが交互に出力される。この場合、画像信号供給回路から供給される信号の極性は、走査信号供給期間毎に反転されることとなる。従って、前述した倍速駆動を行うと共に例えば画像表示領域を二等分して２つの部分領域とした場合、電気光学パネルにおいて、例えば画像表示領域における各画素部を線順次に水平走査する場合と比較して、画像信号供給回路の出力信号の極性反転の周波数を２倍にすることができる。２つの部分領域のうち一方に形成された一の画素部に着目すれば、該画素部には、対応する走査線に走査信号が供給される周期で、互いに異なる極性の黒信号及び画像信号がデータ線を介して書き込まれる。そして、書き込まれた黒信号及び画像信号によって表示素子において保持される電圧が変化することに起因して、各画素部における画像表示においてフリッカが発生する恐れがある。
【００３０】
この態様では、上述したように、画像信号供給回路の出力信号の極性反転の周波数が複数の部分領域の数に応じて変化することにより、極性反転に伴うフリッカの発生を視認され難いものとして抑制することが可能となる。その結果、電気光学装置においてより高品質な画像表示を行うことが可能となる。
【００３１】
本発明の電気光学装置の駆動回路の他の態様では、前記複数の部分領域は、前記分割線により、夫々平面的に見た面積が相互に略等しくなるように分割して得られる二つの部分領域であり、前記走査線駆動回路は、前記二つの部分領域に対して交互に且つ各部分領域における前記複数の走査線に対して線順次に前記走査信号を供給し、前記一方の部分領域における前記一の走査線に対し、前記他方の部分領域における前記一の走査線は、前記データ線に沿って前記画像表示領域の半分先に位置する。
【００３２】
この態様では、画像表示領域を二等分して得られる二つの部分領域のうち一方の部分領域における一の走査線に対応する画素部が書き込まれた画像信号に基づいて行う画像表示に先立って或いは後に、他方の部分領域における一の走査線に対応する画素部が、例えば書き込まれたベタ信号である黒信号に基づいて黒色の画像表示を行う。従って、例えば画像表示領域に動画像を表示する際、得られる表示画像における残像感をより効果的に低減することが可能となる。よって、表示画像の全面に渡って均一に、フリッカの低減された高品位の画像を表示可能となる。
【００３３】
本発明の電気光学装置の駆動回路の他の態様では、前記サンプリングスイッチは、前記画像信号を、画像信号供給期間を規定する第１選択信号に応じて供給し、前記ベタ信号供給用スイッチは、前記ベタ信号を、ベタ信号供給期間を規定する第２選択信号に応じて供給し、前記二つの部分領域の一方における前記走査線に前記走査信号が供給される走査信号供給期間内に、前記第１選択信号を前記複数のサンプリングスイッチに対して順番に供給し、前記二つの部分領域の他方における前記走査線に前記走査信号が供給される走査信号供給期間内に、前記第２選択信号を前記複数のベタ信号供給用スイッチに対してまとめて供給する選択信号供給回路を更に備える。
【００３４】
この態様では、対をなす二つの部分領域のうち一方における各走査線の走査信号供給期間内の画像信号供給期間に、画像信号が各データ線にサンプリングスイッチを介して供給される。この際、第１選択信号が複数のサンプリングスイッチに対して一又は複数ずつ順番に供給されることにより、画像信号は、複数のデータ線のうち一又は複数のデータ線毎に順番に供給されるのが好ましい。
【００３５】
また、対をなす二つの部分領域のうち他方における各走査線の走査信号供給期間内のベタ信号供給期間に、ベタ信号が各データ線にベタ信号供給用スイッチを介してまとめて供給される。このため、ベタ信号供給期間を、画像信号供給期間と比較して短い時間とすることが可能となる。
【００３６】
この、サンプリングスイッチに第１選択信号が供給され、ベタ信号供給用スイッチに第２選択信号が供給される態様では、前記画像信号供給回路は、前記画像信号の水平帰線期間に前記ベタ信号を供給し、前記選択信号供給回路は、前記第２選択信号を前記水平帰線期間に供給するように構成してもよい。
【００３７】
このように構成すれば、対をなす二つの部分領域のうち一方における各走査線の走査信号供給期間内の画像信号供給期間に対して、他方における各走査線の走査信号供給期間内のベタ信号供給期間である水平帰線期間を、比較的短い時間とすることが可能となる。この態様では、他方の部分領域では、選択された走査線に対応する画素部には夫々水平帰線期間にデータ線を介してベタ信号が書き込まれる。
【００３８】
この、選択信号供給回路が水平帰線期間に第２選択信号を供給する態様では、前記走査線駆動回路は、前記一方の部分領域における前記走査線の走査信号供給期間と前記他方の部分領域における前記走査線の走査信号供給期間とが時間軸上で互いに隣接すると共に、前記一方の部分領域における前記走査線の走査信号供給期間の長さが、前記画像信号供給期間に対応する第１長さとなるように、且つ前記他方の部分領域における前記走査線の走査信号供給期間の長さが、前記水平帰線期間に対応する、前記第１長さより短い第２長さとなるように、前記走査信号を供給するように構成してもよい。
【００３９】
このように構成すれば、対となる二つの部分領域について、一方の部分領域における一の走査線に対応する画素部に対する画像信号の書き込みと交互に他方の部分領域における一の走査線に対応する画素部に対するベタ信号の書き込みを行うことができる。そして、対となる二つの部分領域のうち、画像信号に基づいて各画素部が駆動される部分領域において、各画素部に対する画像信号の書き込み時間を十分に長くすることが可能となる。即ち、駆動周波数を余り高めることなく、画像信号とベタ信号とを交互に表示させることが可能となる。よって、データ線、画像信号供給回路等についての画像信号の書き込み能力を上げる必要性が余り生じないという観点から、実践上大変有利である。
【００４０】
この、サンプリングスイッチに第１選択信号が供給され、ベタ信号供給用スイッチに第２選択信号が供給される態様では、前記選択信号供給回路は、更に、前記一方の部分領域における前記走査線の走査信号供給期間内であって、前記第１選択信号の供給に先立って、プリチャージ期間を規定する第３選択信号を前記複数のサンプリングスイッチにまとめて供給し、前記画像信号供給回路は、少なくとも前記プリチャージ期間にプリチャージ信号を前記複数のサンプリングスイッチに供給し、前記複数のサンプリングスイッチは夫々、前記第３選択信号に応じて前記プリチャージ信号を前記データ線に供給するように構成してもよい。
【００４１】
このように構成すれば、対をなす二つの部分領域のうち、一方の部分領域における各走査線の走査信号供給期間内に、画像信号供給期間に先立つプリチャージ期間に次のようにしてビデオプリチャージが行われる。即ち、一方の部分領域における各走査線の走査信号供給期間内のプリチャージ期間に、画像信号供給回路から供給されたプリチャージ信号は、複数のサンプリングスイッチを介して、複数のデータ線にまとめて供給される。
【００４２】
従って、このようにビデオプリチャージを行う場合、各サンプリングスイッチはプリチャージ信号及び画像信号の供給を行うこととなる。そして、プリチャージ期間に複数のデータ線はプリチャージ信号に応じた電圧にプリチャージされるため、画像信号供給期間に、各データ線に対する画像信号の書き込みを、比較的短時間で行うことが可能となる。
【００４３】
この、サンプリングスイッチに第１選択信号が供給され、黒信号供給用スイッチに第２選択信号が供給される態様では、少なくともプリチャージ期間にプリチャージ信号を供給するプリチャージ信号供給回路を更に備えており、前記複数のベタ信号供給用スイッチは夫々プリチャージスイッチとして設けられると共に、前記プリチャージ期間を規定する第３選択信号に応じて前記データ線に前記プリチャージ信号を供給し、前記選択信号供給回路は、更に、前記一方の部分領域における前記走査線の前記走査信号供給期間内であって、前記第１選択信号の供給に先立って前記第３選択信号を前記複数のベタ信号供給用スイッチにまとめて供給するように構成してもよい。
【００４４】
このように構成すれば、対をなす二つの部分領域のうち、一方の部分領域における各走査線の走査信号供給期間内に、画像信号供給期間に先立つプリチャージ期間に次のようにして通常のプリチャージが行われる。即ち、一方の部分領域における各走査線の走査信号供給期間内のプリチャージ期間に、プリチャージ信号供給回路から供給されたプリチャージ信号は、複数のベタ信号供給用スイッチを介して、複数のデータ線にまとめて供給される。従って、このように通常のプリチャージを行う場合、各黒信号供給用スイッチはプリチャージ信号及び黒信号の供給を行うこととなる。そして、プリチャージ期間に複数のデータ線はプリチャージ信号に応じた電圧にプリチャージされるため、画像信号供給期間に、各データ線に対する画像信号の書き込みを、比較的短時間で行うことが可能となる。
【００４５】
本発明の電気光学装置は、上記課題を解決するために、上述した本発明の電気光学装置の駆動回路（但し、その各種態様も含む）を備える。
【００４６】
本発明の電気光学装置によれば、上述したような本発明の駆動回路によって電気光学装置を駆動することにより、高品質な画像表示を行うことが可能となる。
【００４７】
本発明の電気光学装置の一の態様では、前記画素部は、前記表示素子をスイッチング制御する画素スイッチング素子を含み、前記表示素子は、画素電極及び該画素電極に対向して設けられ、共通電位とされる対向電極間に電気光学物質を挟持してなり、前記画素スイッチング素子は、前記走査線より供給される前記走査信号に応じて、前記データ線より供給される前記画像信号及び前記ベタ信号を、前記画素電極に供給すると共に、前記表示素子は、前記画像信号及び前記ベタ信号に基づいて画像表示を行う。
【００４８】
この態様によれば、各画素部において表示素子は、画素スイッチング素子によって、スイッチング制御される。より具体的には、画素スイッチング素子は、対応する走査線より供給された走査信号に応じて、対応するデータ線に供給された画像信号及びベタ信号を表示素子の画素電極に供給する。これにより、各画素部をアクティブマトリクス駆動することが可能となる。
【００４９】
また、各画素部において、表示素子は、画素電極及び対向電極間に液晶等の電気光学物質を挟持してなる。そして、画素電極及び対向電極の各々の電位によって規定される電圧が電気光学物質に印加されることにより、表示素子によって画像表示が行われる。ここで、各画素部において、表示素子の対向電極は共通の所定電位に維持される。そして、画素電極に互いに異なる極性のベタ信号及び画像信号が供給されることにより、表示素子を交流駆動することが可能となる。
【００５０】
本発明の電子機器は上記課題を解決するために、上述した本発明の電気光学装置（但し、その各種態様も含む）を具備する。
【００５１】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Degital  Light  Processing）等を実現することも可能である。
【００５２】
本発明の電気光学装置の駆動方法は上記課題を解決するために、基板上の画像表示領域に、複数のデータ線及び複数の走査線と、前記データ線及び前記走査線に夫々電気的に接続されると共に表示素子を夫々含む複数の画素部とを備える電気光学パネルを含む電気光学装置を駆動するための駆動方法であって、前記画像表示領域を、前記走査線に沿う分割線により分割して得られる複数の部分領域について、該複数の部分領域に対して交替に且つ各部分領域における前記複数の走査線に対して順番に、走査信号を供給する第１工程と、前記データ線の一端側に接続されたサンプリングスイッチを介して、基準電位に対して第１及び第２極性のいずれかの極性を有すると共に前記画像表示領域に表示画像を表示するための画像信号を前記複数のデータ線に夫々供給する第２工程と、前記データ線の他端側に接続されたベタ信号供給用スイッチを介して、前記画像信号と異なる極性を有すると共に前記画像表示領域に特定色のベタ画像を表示するためのベタ信号を、前記画像信号が前記データ線に供給される期間とは異なる期間に、前記複数のデータ線に夫々供給する第３工程と、前記複数の部分領域のうち対をなす二つの部分領域について、各部分領域における一の走査線に対して前記走査信号が供給された後、該一の走査線に再び前記走査信号が供給されるまでの間、前記二つの部分領域の一方における前記画素部に前記画像信号を前記サンプリングスイッチ及び前記データ線を介して供給し、前記二つの部分領域の他方における前記画素部に前記ベタ信号を前記ベタ信号供給用スイッチ及び前記データ線を介して供給し、更に、前記二つの部分領域の一方と他方とが所定周期で入れ替わるように、前記画像信号及び前記ベタ信号を供給する第４工程と備え、前記第２工程において、前記サンプリングスイッチは、前記画像信号を、画像信号供給期間を規定する第１選択信号に応じて供給し、前記第３工程において、前記ベタ信号供給用スイッチは、前記ベタ信号を、ベタ信号供給期間を規定する第２選択信号に応じて供給し、前記二つの部分領域の一方における前記走査線に前記走査信号が供給される走査信号供給期間内に、前記第１選択信号を前記複数のサンプリングスイッチに対して順番に供給し、前記二つの部分領域の他方における前記走査線に前記走査信号が供給される走査信号供給期間内に、前記第２選択信号を前記複数のベタ信号供給用スイッチに対してまとめて供給する第５供給工程を更に備え、前記第４工程においては、前記画像信号の水平帰線期間に前記ベタ信号を供給し、前記第５工程においては、前記第２選択信号を前記水平帰線期間に供給し、少なくともプリチャージ期間にプリチャージ信号を供給する第６工程を更に備えており、前記第６工程において、前記複数のベタ信号供給用スイッチは夫々プリチャージスイッチとして設けられると共に、前記プリチャージ期間を規定する第３選択信号に応じて前記データ線に前記プリチャージ信号を供給し、前記第５工程においては、更に、前記一方の部分領域における前記走査線の前記走査信号供給期間内であって、前記第１選択信号の供給に先立って前記第３選択信号を前記複数のベタ信号供給用スイッチにまとめて供給する。
【００５３】
本発明の電気光学装置の駆動方法によれば、上述した本発明の駆動回路と同様に、表示画像における残像感を低減することにより、電気光学装置において、高品質な画像表示を行うことが可能となる。また、各データ線に対して、同一のスイッチを介して画像信号及びベタ信号を供給する場合に生じる、画像信号からベタ信号或いはベタ信号から画像信号への切り替え応答時間を無くすことが可能となり、各データ線に対する画像信号及びベタ信号の書き込み時間を短縮化させることができる。
【００５４】
本発明のこのような作用及び他の利得は次に説明する実施の形態から明らかにされる。
【発明を実施するための最良の形態】
【００５５】
以下では、本発明の実施の形態について図を参照しつつ説明する。以下の実施形態は、本発明の電気光学装置を液晶装置に適用したものである。
【００５６】
＜１：第１実施形態＞
先ず、本発明の電気光学装置に係る第１実施形態について、図１から図１２を参照して説明する。
【００５７】
＜１−１；電気光学パネルの全体構成＞
本発明の電気光学装置たる液晶装置における、電気光学パネルの一例としての液晶パネルの全体構成について、図１及び図２を参照して説明する。ここに、図１は、ＴＦＴアレイ基板をその上に形成された各構成要素と共に対向基板の側から見た液晶パネルの概略的な平面図であり、図２は、図１のＨ−Ｈ’断面図である。ここでは、駆動回路内蔵型のＴＦＴアクティブマトリクス駆動方式の液晶装置を例にとる。
【００５８】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００５９】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。
【００６０】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００６１】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺のいずれかに沿い、且つ、前記額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。
【００６２】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００６３】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００６４】
なお、図１及び図２には図示しないが、ＴＦＴアレイ基板１０上には、データ線駆動回路１０１や走査線駆動回路１０４等に加えて、後述する黒信号供給回路が形成されており、更には製造途中や出荷時の当該電気光学装置の品質、欠陥等を検査するための検査回路等を形成してもよい。
【００６５】
＜１−２；電気光学装置の全体構成＞
液晶装置の全体構成について図３及び図４を参照して説明する。ここに、図３は、液晶装置の全体構成を示すブロック図であり、図４は、液晶パネルの電気的な構成を示すブロック図である。
【００６６】
図３に示すように、液晶装置は、主要部として、液晶パネル１００、画像信号供給回路３００、第１フレームメモリ６２及び第２フレームメモリ６３、タイミング制御回路４００、並びに電源回路７００を備える。
【００６７】
タイミング制御回路４００は、各部で使用される各種タイミング信号を出力するように構成されている。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。更に、タイミング制御回路４００において、後述する走査信号の出力タイミングを決定する２種のイネーブル信号ＥＮＢ１及びＥＮＢ２が生成されると共に、本発明に係る「第２選択信号」に相当する黒信号供給用選択信号ＮＲＧ’が生成される。
【００６８】
画像信号供給回路３００には、外部から入力画像データＤＡＴＡが入力される。画像信号供給回路３００は、入力された画像データＤＡＴＡに基づいて、２種のフィールドデータを生成し、後述するように一の走査線に対して走査信号が供給される周期で、生成した２種のフィールドデータを第１フレームメモリ６２及び第２フレームメモリ６３の一方に一時期的に蓄えると共に、他方からは蓄積した１種のフィールドデータを読み出す。尚、２種のフィールドデータには、一つの表示画像を表示するためのデータ及び一つの黒色画像を表示するためのデータが含まれている。
【００６９】
そして、画像信号供給回路３００は、読み出した１種のフィールドデータに対して所定の処理を行う。この所定の処理の一例として、画像信号供給回路３００では、例えば１種のフィールドデータをシリアル−パラレル変換して、Ｎ相、例えば６相（Ｎ＝６）の画像信号ＶＩＤ１〜ＶＩＤ６を生成することがある。更に、画像信号供給回路３００は、生成した画像信号ＶＩＤｋの電圧を、所定の基準電位ｖ０に対して「第１極性」及び「第２極性」として正極性及び負極性に反転した後、画像信号ＶＩＤｋを出力する。尚、ここでいう画像信号ＶＩＤｋには、後述するように、本発明に係る狭義の「画像信号」として表示画像を表示するための第１表示電位ｖ１（＋）を有するもの、及び本発明に係る「黒信号」として黒色画像を表示するための第２表示電位ｖｂ（−）を有するものの両者が含まれる。
【００７０】
また、電源回路７００は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００７１】
次に、液晶パネル１００における電気的な構成について説明する。
【００７２】
図２に示すように、液晶パネル１００には、そのＴＦＴアレイ基板１０の周辺領域に、走査線駆動回路１０４、データ線駆動回路１０１及び黒信号供給回路２００を含む内部駆動回路が設けられている。
【００７３】
走査線駆動回路１０４は、具体的には後述するが、Ｙクロック信号ＣＬＹ、反転Ｙクロック信号ＣＬＹｉｎｖ 、及びＹスタートパルスＤＹが供給されることによって、基本的な線順次の水平走査が可能となっている。更に、走査線駆動回路１０４は、供給されたイネーブル信号ＥＮＢ１及びＥＮＢ２に基づくタイミングで、後述するような順序で走査信号Ｇ１、Ｇ２、・・・、Ｇｍを出力する。
【００７４】
本実施形態では、データ線駆動回路１０１の主要部には、サンプリング信号供給回路１０１ａ、及びサンプリング回路１０１ｂが含まれる。サンプリング信号供給回路１０１ａは図３に示すタイミング制御回路４００と共に本発明に係る「選択信号供給回路」の主要部を構成する。サンプリング信号供給回路１０１ａには、Ｘクロック信号ＣＬＸ、反転Ｘクロック信号ＣＬＸｉｎｖ、及びＸスタートパルスＤＸが供給される。サンプリング信号供給回路１０１ａは、ＸスタートパルスＤＸが入力されると、Ｘクロック信号ＣＬＸ及び反転Ｘクロック信号ＸＣＬＸｉｎｖに基づくタイミングで、本発明に係る「第１選択信号」に相当するサンプリング信号Ｓ１、・・・、Ｓｎを順次生成して、黒信号供給用選択信号ＮＲＧ’の出力期間とは異なる期間に出力する。
【００７５】
サンプリング回路１０１ｂは、Ｐチャネル型又はＮチャネル型の片チャネル型ＴＦＴ若しくは相補型のＴＦＴから構成されたサンプリングスイッチ２０２を複数備える。
【００７６】
また、黒信号供給回路２００は、サンプリングスイッチ２０２と同様の片チャネル型ＴＦＴ等を用いて構成された黒信号供給用スイッチ２０４を複数備える。
【００７７】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ及び画素電極９ａをスイッチング制御するためのＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。
【００７８】
前述したように、例えば、６相にシリアル−パラレル展開された画像信号ＶＩＤ１〜ＶＩＤ６は夫々、画像信号線１７１を介して液晶パネル１００に供給される。
【００７９】
図４に示すように、サンプリング回路１０１ｂにおいて、各サンプリングスイッチ２０２はデータ線１１４の一端側に設けられている。そして、Ｎ個、本実施形態では６個のサンプリングスイッチ２０２を１群とし、１群に属するサンプリングスイッチ２０２には夫々、サンプリング信号Ｓｉ（ｉ＝１、２、・・・、ｎ）が入力される。１群に属するサンプリングスイッチ２０２は、Ｎ本、本実施形態では６本のデータ線１１４を１群とし、１群に属するデータ線１１４に対し、サンプリング信号Ｓｉに応じて、表示画像を表示するための画像信号ＶＩＤｋをサンプリングして供給する。即ち、１群に属するサンプリングスイッチ２０２を介して、１群に属するデータ線１１４と画像信号線１７１が電気的に接続される。従って、本実施形態では、ｎ本のデータ線１１４を１群に属するデータ線１１４毎に駆動するため、駆動周波数が抑えられる。
【００８０】
また、図４に示すように、黒信号供給回路２００において、各黒信号供給用スイッチ２０４は、サンプリングスイッチ２０２が設けられた側と反対側のデータ線１１４の他端側に設けられている。既に説明したようにサンプリング信号Ｓｉとは異なる期間にタイミング制御回路４００から出力される黒信号供給用選択信号ＮＲＧ’に応じて、各黒信号供給用スイッチ２０４はまとめてオン状態となる。そして、複数のデータ線１１４には、オン状態となった黒信号供給用スイッチ２０４を介して、黒色画像を表示するための画像信号ＶＩＤｋがまとめて供給される。
【００８１】
図４中、一つの画素部７０の構成に着目すれば、ＴＦＴ１１６のソース電極には、画像信号ＶＩＤｋが供給されるデータ線１１４が電気的に接続されている一方、ＴＦＴ１１６のゲート電極には、走査信号Ｇｊ（但し、ｊ＝１、２、３、・・・、ｍ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００８２】
液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤｋに応じたコントラストをもつ光が出射する。
【００８３】
ここで、保持された画像信号がリークするのを防ぐために、蓄積容量１１９が、液晶素子１１８と並列に付加されている。例えば、画素電極１１８の電圧は、ソース電圧が印加された時間よりも３桁も長い時間だけ蓄積容量１１９により保持されるので、保持特性が改善される結果、高コントラスト比が実現されることとなる。
【００８４】
＜１−３；電気光学装置の動作＞
次に、図１から図４に加えて、図５から図１０を参照して液晶装置の動作について説明する。
【００８５】
先ず、図５を参照して、図１又は図４に示す走査線駆動回路１０４の詳細な構成について説明する。図５には、走査線駆動回路１０４の構成の一例を示してある。
【００８６】
ここで、以下では、説明を簡単にするため走査線１１２の総本数ｍ＝４とし、且つ、図５に示すように画像表示領域１０ａを走査線１１２に沿う分割線６００により二等分して得られる第１部分領域１０ａａ及び第２部分領域１０ａｂについて領域走査する場合について説明する。
【００８７】
図５において、走査線駆動回路１０４の主要部には、Ｙクロック信号ＣＬＹ、反転Ｙクロック信号ＣＬＹｉｎｖ、及びＹスタートパルスＤＹ が入力されるＹ側シフトレジスタ１０４ａと、４本の走査線１１２に対応する４つの論理回路からなる出力制御部１０４ｂとが含まれる。１つの論理回路は、例えばＮＡＮＤ回路６７及びＮＯＴ回路６８を含み、ＮＡＮＤ回路６７には、Ｙ側シフトレジスタ６６からの一の出力信号及び２種のイネーブル信号ＥＮＢ１又はＥＮＢ２のいずれか一方が入力される。また、各ＮＡＮＤ回路６７の出力信号は、ＮＯＴ回路６８を介して、対応する走査線１１２に走査信号Ｇ１、Ｇ２、Ｇ３、Ｇ４として出力される。
【００８８】
次に、図１から図５に加えて図６から図９を参照して、第１部分領域１０ａａ及び第２部分領域１０ａｂに対して行われる領域走査について詳細に説明する。図６は、画像信号供給回路３００における画像信号ＶＩＤｋの生成について説明するための説明図であり、図７は、走査線駆動回路１０４の動作について説明するためのタイミングチャートであり、図８は、各データ線１１４及び各走査線１１２を駆動するための各種信号の経時的変化を示すタイミングチャートである。更に図９（ａ）及び図９（ｂ）には、本実施形態における領域走査を概念的に説明するための説明図を示してある。
【００８９】
図６において、画像信号供給回路３００は、後述する第１及び第２部分領域１０ａａ及び１０ａｂの各々の第１番目の走査線１１２に対して走査信号Ｇｊが供給された後、該第１番目の走査線１１２に再び走査信号Ｇｊが供給されるまでの間（以下、本実施形態ではこの期間を１垂直走査期間と称することもある）、第１部分領域１０ａａにおける各画素部７０で当該第１部分領域１０ａａに表示画像を表示するための画像表示が行われると共に、第２部分領域１０ａｂにおける各画素部７０で当該第２部分領域１０ａｂに黒色画像を表示するための黒表示が行われるように、画像信号ＶＩＤｋの電圧を調整する。また、画像信号供給回路３００は、第１部分領域１０ａａ及び第２部分領域１０ａｂが、所定周期として上述した第１番目の走査線に対して走査信号Ｇｊが供給される周期で、即ち１垂直走査期間毎に、画像信号ＶＩＤｋに基づいて交互に入れ替わるように、画像信号ＶＩＤｋを生成する。
【００９０】
例えば、図６に示すように、画像信号供給回路３００は、１種のフィールドデータに基づいて、１／２フィールド毎に画像信号ＶＩＤｋを生成する。この画像信号ＶＩＤｋは、１つの走査信号供給期間毎（即ち１水平走査期間毎）に、その電圧の極性が所定の基準電位ｖ０に対して反転されると共に、第１表示電位ｖ１（＋）若しく第２表示電位ｖｂ（−）と基準電位ｖ０とによって規定される電圧に調整される。本実施形態では、第１表示電位ｖ１（＋）と基準電位ｖ０とによって規定される表示電圧は正極性の電圧として生成され、第２表示電位ｖｂ（−）と基準電位ｖ０とによって規定される黒表示電圧は負極性の電圧として生成される。尚、表示電圧は負極性の電圧として生成され、黒表示電圧は正極性の電圧として生成されるようにしてもよい。そして、１垂直走査期間では、１走査信号供給期間毎に、交互に表示電圧の画像信号ＶＩＤｋ及び黒表示電圧の画像信号ＶＩＤｋが、画像信号供給回路３００から出力される。尚、１／２フィールド期間は１垂直走査期間と同等の長さを有している。
【００９１】
図６において、時間軸上で互いに隣接する２つの垂直走査期間のうち、一方の垂直走査期間では、画像信号ＶＩＤｋが表示電圧に調整される一の走査信号供給期間が、画像信号ＶＩＤｋが黒表示電圧に調整される他の走査信号供給期間に対して相対的に先に来るように、画像信号ＶＩＤｋは生成される。これに対して、他方の垂直走査期間では、画像信号ＶＩＤｋが表示電圧に調整される一の走査信号供給期間が、画像信号ＶＩＤｋが黒表示電圧に調整される他の走査信号供給期間に対して相対的に後に来るように、画像信号ＶＩＤｋが生成される。
【００９２】
次に、１垂直走査期間における領域走査について図７及び図８を参照して説明する。
【００９３】
１垂直走査期間では、図５に示す走査線駆動回路１０４から、走査信号Ｇ１、Ｇ２、Ｇ３、Ｇ４が第１部分領域１０ａａ及び第２部分領域１０ａｂに対して交替に供給されると共に、第１部分領域１０ａａ及び第２部分領域１０ａｂでは夫々、走査線１１２の配列方向に沿って、当該部分領域１０ａａ若しくは１０ａｂの上から下に向かって各走査線１１２に走査信号Ｇ１及びＧ２若しくはＧ３及びＧ４が順次供給される。
【００９４】
図７に示すように、Ｙ側シフトレジスタ６６からのスタートパルスＳＲ１〜ＳＲ４は、第１部分領域１０ａａ及び第２部分領域１０ａｂをあたかも同時に水平走査するように、夫々の走査線１１２に対して同じタイミングで出力される。即ち、第１部分領域１０ａａ及び第２部分領域１０ａｂにおいて夫々第１番目に走査信号Ｇｊが供給される走査線１１２に対応するスタートパルスＳＲ１、ＳＲ３と、第２番目に走査信号Ｇｊが供給される走査線１１２に対応するスタートパルスＳＲ２、ＳＲ４とは、２水平走査期間毎に交番的に出力される。一方、イネーブル信号ＥＮＢ１，ＥＮＢ２は夫々、１水平走査期間毎に交互にローレベルからハイレベルに立ち上がる。よって、スタートパルスＳＲ１〜ＳＲ４のうち、イネーブル信号ＥＮＢ１，ＥＮＢ２のいずれかの立ち上がりタイミング時に出力された一つが論理回路において選択され、走査信号Ｇｊとして走査線１１２に出力される。その結果、図７に示すように、走査信号Ｇ１〜Ｇ４が、走査線駆動回路１０４から順次出力されることとなる。
【００９５】
図８において、時刻ｔ０に１垂直走査期間が開始されると、本発明に係る「対をなす二つの部分領域の一方」の一例である第１部分領域１０ａａにおいて、走査線駆動回路１０４より当該第１部分領域１０ａａの第１番目の走査信号Ｇ１が対応する走査線１１２に供給され、本発明に係る「一の走査線」の一例である第１番目の走査線１１２の走査信号供給期間が開始される。尚、第１番目の走査信号Ｇ１がハイレベルとなる時刻ｔ０から時刻ｔ３までの期間が、第１番目の走査線１１２の走査信号供給期間となる。
【００９６】
第１番目の走査線１１２の走査信号供給期間内において、時刻ｔ１から時刻ｔ２までの期間に、シフトレジスタ出力であるサンプリング信号Ｓ１、Ｓ２，・・・、Ｓｎが順にサンプリング信号供給回路１０１ａから出力される。そして、サンプリング信号供給回路１０１ａからのサンプリング信号Ｓ１、Ｓ２，・・・、Ｓｎの出力期間が画像信号供給期間となる。また、画像信号供給期間に、表示電圧に調整された画像信号ＶＩＤｋが画像信号供給回路３００から供給される。サンプリング回路１０１ｂでは、サンプリング信号Ｓ１、Ｓ２，・・・、Ｓｎが供給されることにより、一群に属するサンプリングスイッチ２０２毎に順にオン状態となる。この際、シリアル−パラレル展開が採用されていると、１群に属するサンプリングスイッチ２０２は、まとめてオン状態とされる。本実施形態では特に、１つの連続した画像信号供給期間（例えば、図８における、時刻ｔ１〜ｔ２の期間）に、１ライン分の画像信号ＶＩＤｋに対応して、サンプリング信号Ｓ１、・・・、Ｓｎが出力される。また、別の１つの連続した画像信号供給期間（例えば、図８における、時刻ｔ７〜ｔ８の期間）に、別の１ライン分の画像信号ＶＩＤｋに対応して、サンプリング信号Ｓ１、・・・、Ｓｎが出力される。いずれにせよ、画像信号供給期間にのみ、画像信号ＶＩＤｋのサンプリングが行なわれて、データ線１１４への画像信号ＶＩＤｋの供給が行なわれる。
【００９７】
そして、表示電圧の画像信号ＶＩＤｋは、オン状態のサンプリングスイッチ２０２を介してデータ線１１４に供給され、該データ線１１４を介して第１番目の走査線１１２に対応する画素部７０に供給される。このように、時刻ｔ１から時刻ｔ２までの期間に、第１番目の走査線１１２に対応する画素部７０には、表示画像を表示するための画像信号ＶＩＤｋが書き込まれる。
【００９８】
その後、時刻ｔ３に、第１番目の走査線１１２の走査信号供給期間が終了すると、本発明に係る「対をなす二つの部分領域の他方」の一例である第２部分領域１０ａｂにおいて、走査線駆動回路１０４より当該第２部分領域１０ａｂの第１番目（走査線駆動回路１０４からの出力順序によれば第２番目）の走査信号Ｇ３が対応する走査線１１２に供給され、第２番目の走査線１１２の走査信号供給期間が開始される。
【００９９】
第２番目の走査線１１２の走査信号供給期間内において、時刻ｔ４から時刻ｔ５までの期間に、タイミング制御回路４００から黒信号供給用選択信号ＮＲＧ’が出力される。そして、タイミング制御回路４００からの黒信号供給用選択信号ＮＲＧ’の出力期間が黒信号供給期間となる。また、黒信号供給期間に、黒表示電圧に調整された画像信号ＶＩＤｋ（図８中、太線で示された部分）が画像信号供給回路３００から供給される。黒信号供給回路２００では、黒信号供給用選択信号ＮＲＧ’に応じてまとめてオン状態となった黒信号供給用スイッチ２０４を介して複数のデータ線１１４にまとめて黒表示電圧の画像信号ＶＩＤｋが供給される。更に、画像信号ＶＩＤｋは各データ線１１４を介して第２番目の走査線１１２に対応する画素部７０に供給される。このように、時刻ｔ４から時刻ｔ５までの期間に、第２番目の走査線１１２に対応する画素部７０には、黒色画像を表示するための画像信号ＶＩＤｋが書き込まれる。
【０１００】
その後、時刻ｔ６に、第２番目の走査線１１２の走査信号供給期間が終了すると、第１部分領域１０ａａにおいて、走査線駆動回路１０４より当該第１部分領域１０ａａの第２番目（走査線駆動回路１０４からの出力順序によれば第３番目）の走査信号Ｇ２が対応する走査線１１２に供給され、第３番目の走査線１１２の走査信号供給期間が開始される。
【０１０１】
第３番目の走査線１１２の走査信号供給期間において、時刻ｔ７から時刻８までの画像信号供給期間に、第１番目の走査線１１２に対応する画素部７０と同様に、第３番目の走査線１１２に対応する画素部７０に表示画像を表示するための画像信号ＶＩＤｋが書き込まれる。
【０１０２】
続いて、時刻ｔ９に、第３番目の走査線１１２の走査信号供給期間が終了すると、第２部分領域１０ａｂにおいて、走査線駆動回路１０４より当該第２部分領域１０ａｂの第２番目（走査線駆動回路１０４からの出力順序によれば第４番目）の走査信号Ｇ４が対応する走査線１１２に供給され、第４番目の走査線１１２の走査信号供給期間が開始される。
【０１０３】
第４番目の走査線１１２の走査信号供給期間において、時刻ｔ１０から時刻１１までの黒信号供給期間に、第２番目の走査線１１２に対応する画素部７０と同様に、第４番目の走査線１１２に対応する画素部７０に黒色画像を表示するための画像信号ＶＩＤｋ（図８中、太線で示された部分）が書き込まれる。
【０１０４】
その後、時刻ｔ１２に１垂直走査期間が終了する。このように、画像信号供給期間に、表示電圧の画像信号ＶＩＤｋが１群に属するデータ線１１４毎に順番に供給されるのに対して、黒信号供給期間に、黒表示電圧の画像信号ＶＩＤｋはまとめて複数のデータ線１１４に供給される。
【０１０５】
以上説明したような、１垂直走査期間に行われる領域走査によれば、図９（ａ）に示すように、第１部分領域１０ａａ一の走査線１１２に対応する画素部７０によって表示画像を表示するための画像表示が行われた後、該一の走査線１１２に対して画像表示領域１０ａの半分先に位置する、第２部分領域１０ａｂの一の走査線１１２に対応する画素部７０によって黒色画像を表示するための画像表示が行われる。また、第１部分領域１０ａａ及び第２部分領域１０ａｂでは夫々、各走査線１１２に対応する画素部７０は、当該部分領域１０ａａ若しくは１０ａｂの上から下に向かって、線順次に駆動される。
【０１０６】
そして、時刻ｔ１２に１垂直走査期間が終了すると、これに続く他の１垂直走査期間では、画像信号供給回路３００において既に説明したように、画像信号ＶＩＤｋを表示電圧と黒表示電圧とに調整する順序が、図８を参照して説明した１垂直走査期間と逆転する。従って、図９（ｂ）に示すように、第１部分領域１０ａａと第２部分領域１０ａｂとが入れ替わり、夫々、各走査線１１２に対応する画素部７０は、当該部分領域１０ａａ若しくは１０ａｂの上から下に向かって、線順次に駆動される。
【０１０７】
ここで、図１０（ａ）には、本実施形態において画像表示領域１０ａに動画像を表示した場合に視認される表示画面を模式的に示してあり、図１０（ｂ）には、比較例において画像表示領域１０ａに動画像を表示した場合に視認される表示画面を模式的に示してある。
【０１０８】
本実施形態では、図１０（ａ）に示すように、例えば画像表示領域１０ａに矢印Ａの方向に向かって進行する物体９０を表示した場合、得られる表示画像を人間の目で観察すると、例えば第１部分領域１０ａａにおいて画像表示が行われた後、第２部分領域１０ａｂにおいて黒色の画像表示が行われることにより、表示画面がリセットされたかのように見える。よって、本実施形態では、画像表示領域１０ａにおいて、残像が視認され難い画像表示を行うことが可能となる。
【０１０９】
他方、本実施形態による領域走査を行わないで、例えば、既に説明した従来の駆動により画像表示領域１０ａに図１０（ａ）と同様の動画像を表示する比較例では、図１０（ｂ）に示すように、矢印Ａの方向に向かって移動する物体９０が尾を引くような残像Ｂが視認される。
【０１１０】
このように本実施形態では、画像表示領域１０ａに表示された表示画像における残像感を低減することが可能となる。また、１フィールド期間即ち２垂直走査期間毎に、一つの表示画像及び一つの黒色画像が表示される。即ち、本実施形態によれば、走査線駆動回路１０４及びデータ線駆動回路１０１は倍速駆動されることになる。従って、このような倍速駆動を行わない場合と比較して、画像信号ＶＩＤｋの極性反転の周波数を２倍にすることができる。よって、画像信号ＶＩＤｋの極性反転に伴うフリッカの発生を視認され難いものとして抑制することが可能となる。その結果、以上説明したような本実施形態によれば、液晶パネル１００において高品質な画像表示を行うことができる。
【０１１１】
ここで、画像信号供給回路３００において、画像信号ＶＩＤｋは、互いに極性の異なる表示電圧と黒表示電圧とに調整される。本実施形態では、表示電圧の画像信号ＶＩＤｋと黒表示電圧の画像信号ＶＩＤｋとは夫々、別系統で各データ線１１４に供給される。従って、サンプリングスイッチ２０２又は黒信号供給用スイッチ２０４において、画像信号ＶＩＤｋの表示電圧から黒表示電圧へ及び黒表示電圧から表示電圧への切り替え応答時間を無くすことが可能となり、各データ線１１４に対する画像信号ＶＩＤｋの書き込み時間を短縮化させることができる。
【０１１２】
尚、本実施形態では、画像表示領域１０ａを二以上の複数の分割線によって分割することによって得られる複数の部分領域を夫々、表示画像を表示する領域及び黒色画像を表示する領域のいずれかとし、且つ表示画像を表示する領域及び黒色画像を表示する領域となる二つの部分領域を対として、上述した手順と同様にして、領域走査を行ってもよい。
【０１１３】
加えて、各部分領域内における走査線を選択する順番、即ち走査順についても、図９に示した如き上から線順次でもよいし、これとは異なる所定順序、例えば下から線順次や途中から線順次など、各種の走査順を採用可能である。何れの場合にも、予め走査順が決まっている限り、これに応じてデータ線に画像信号を供給すれば特に問題は生じない。但し、画像信号供給回路（図３参照）における信号処理の複雑化を避けることや、走査線に係る配線（図５）の複雑化を避けることを考えれば、図９に示した如き走査順が望ましい。
【０１１４】
＜１−４；変形例＞
上述した第１実施形態の変形例について、図１１及び図１２を参照して説明する。図１１は、本変形例における液晶装置の一の動作を説明するためのタイミングチャートを示す図であって、図１２は、本変形例における液晶装置の他の動作を説明するためのタイミングチャートを示す図である。
【０１１５】
先ず、図１１を参照して、本変形例における液晶装置の一の動作について説明する。液晶装置の一の動作例では、画像信号供給回路３００は、第２部分領域１０ａｂにおける各走査線１１２の走査信号供給期間内において、少なくとも水平帰線期間に画像信号ＶＩＤｋを黒表示電圧に調整する。また、タイミング制御回路４００は黒信号供給用選択信号ＮＲＧ’を画像信号ＶＩＤｋの水平帰線期間に出力する。
【０１１６】
図１１において、時刻ｔ２０に１垂直走査期間が開始されると、第１部分領域１０ａａにおいて、時刻ｔ２０から時刻ｔ２３までの第１番目の走査線１１２の走査信号供給期間において、時刻ｔ２１から時刻２２までの画像信号供給期間に、第１番目の走査線１１２に対応する画素部７０に表示画像を表示するための画像信号ＶＩＤｋが書き込まれる。
【０１１７】
その後、時刻ｔ２３から時刻ｔ２６までの第２番目の走査線１１２の走査信号供給期間内に、水平帰線期間における時刻ｔ２４から時刻ｔ２５までの期間に、タイミング制御回路４００から黒信号供給用選択信号ＮＲＧ’が出力される。即ち時刻ｔ２４から時刻ｔ２５までの期間が黒信号供給期間となる。そして、時刻ｔ２４から時刻ｔ２５までの期間に、第２番目の走査線１１２に対応する画素部７０には、黒色画像を表示するための画像信号ＶＩＤｋ（図１１中、太線で示された部分）が書き込まれる。
【０１１８】
その後、時刻ｔ２６から時刻ｔ２９までの第３番目の走査線１１２の走査信号供給期間内において、時刻ｔ２７から時刻ｔ２８までの画像信号供給期間に第３番目の走査線１１２に対応する画素部７０に表示画像を表示するための画像信号ＶＩＤｋが書き込まれる。続いて、時刻ｔ２９から時刻ｔ３２までの第４番目の走査線１１２の走査信号供給期間内に、第４番目の走査線１１２に対応する画素部７０に、前述した第２番目の走査線１１２に対応する画素部７０と同様に、黒色画像を表示するための画像信号ＶＩＤｋが書き込まれる。
【０１１９】
よって、上述したような液晶装置の一の動作例によれば、画像信号供給期間に対して、黒信号供給期間を含む水平帰線期間を、比較的短い時間とすることが可能となる。
【０１２０】
次に、図１２を参照して、本変形例における液晶装置の他の動作について説明する。液晶装置の他の動作例では、画像信号供給回路３００は、１垂直走査期間において、時間軸上で互いに隣接する２つの走査信号供給期間のうち一方では、画像信号ＶＩＤｋを表示電圧に調整する画像信号供給期間を、画像信号ＶＩＤｋを黒表示電圧に調整する水平帰線期間より長くすると共に、水平帰線期間を黒信号供給用選択信号ＮＲＧ’が供給されている期間と同等の長さとする。
【０１２１】
また、走査線駆動回路１０４は、時間軸上で互いに隣接する２つの走査信号供給期間のうち一方の長さを、画像信号供給期間に対応する第１長さとし、他方の長さを水平帰線期間に対応すると共に第１長さより短い第２長さに調整する。
【０１２２】
図１２では、第２部分領域１０ａｂにおける第２番目の走査線１１２の走査信号供給期間は、黒信号供給用選択信号ＮＲＧ’がタイミング制御回路から出力される時刻ｔ４１から時刻ｔ４２までの期間の第２長さとなり、該第２長さの水平帰線期間に画像信号ＶＩＤｋ（図１２中、太線で示された部分）は黒表示電圧に調整される。そして、時刻ｔ４１から時刻ｔ４２までの期間に、第２番目の走査線１１２に対応する画素部７０には、黒色画像を表示するための画像信号ＶＩＤｋがまとめて書き込まれる。
【０１２３】
また、第１部分領域１０ａａにおける第３番目の走査線１１２の走査信号供給期間は、時刻ｔ４２から時刻ｔ４５までの第１長さとなり、該第３番目の走査線１１２の走査信号供給期間内の、時刻ｔ４３から時刻ｔ４４までの画像信号供給期間に、画像信号ＶＩＤｋは表示電圧に調整される。そして、時刻ｔ４３から時刻ｔ４４までの画像信号供給期間に、第３番目の走査線１１２に対応する画素部７０には、表示画像を表示するための画像信号ＶＩＤｋが書き込まれる。
【０１２４】
このように、液晶装置の他の動作例によれば、第１部分領域１０ａａにおける各画素部７０に対する表示画像を表示するための画像信号ＶＩＤｋの書き込み時間を、第１実施形態と比較して、十分に長くすることが可能となる。
【０１２５】
＜２；第２実施形態＞
次に、本発明の電気光学装置に係る第２実施形態について説明する。第２実施形態において、電気光学装置としての液晶装置は、第１実施形態と比較して、液晶パネルにおける内部駆動回路の構成が異なる。よって、以下では、液晶装置の構成及び動作について、第１実施形態と異なる点についてのみ、図１３から図１５を参照して説明する。尚、第１実施形態と同様の構成については同一の符号を付して示し、重複する説明は省略する。
【０１２６】
先ず、図１３及び図１４を参照して、第２実施形態における液晶装置の全体構成について説明する。ここに、図１３は、第２実施形態における液晶装置の全体構成を示すブロック図であり、図１４は、第２実施形態における液晶パネルの電気的な構成を示すブロック図である。
【０１２７】
図１３において、タイミング制御回路４００は、更に本発明に係る「第３選択信号」に相当するプリチャージ用選択信号ＮＲＧを生成する。
【０１２８】
図１４において、サンプリング回路１０１ｂにおける、６個のサンプリングスイッチ２０２を１群とし、該１群に属するサンプリングスイッチ２０２に対応させてＯＲ回路１７０が設けられている。そして、ＯＲ回路１７０を介して、１群に属するサンプリングスイッチ２０２には夫々、タイミング制御回路４００によって生成されたプリチャージ用選択信号ＮＲＧが入力されると共に、サンプリング信号供給回路１０１ａよりサンプリング信号Ｓｉが入力される。１群に属するサンプリングスイッチ２０２は夫々、対応するデータ線１１４に対し、プリチャージ用選択信号ＮＲＧ又はサンプリング信号Ｓｉに応じて、画像信号ＶＩＤｋをサンプリングして供給する。
【０１２９】
続いて、図１３及び図１４に加えて図１５を参照して、第２実施形態における液晶装置の動作について説明する。図１５は、第２実施形態における液晶装置の動作に係る各種信号の経時的変化を示すタイミングチャートである。
【０１３０】
以下では、第１実施形態と同様に、走査線１１２の総本数ｍ＝４とし、且つ、図５に示すように画像表示領域１０ａを二等分して得られる第１部分領域１０ａａ及び第２部分領域１０ａｂについて領域走査する場合について説明する。
【０１３１】
図１５において、時刻ｔ５０に１垂直走査期間が開始されると、第１部分領域１０ａａにおいて、走査信号Ｇ１が供給されることにより、時刻ｔ５０から時刻ｔ５５までの期間が、第１番目の走査線１１２の走査信号供給期間となる。
【０１３２】
第１番目の走査線１１２の走査信号供給期間において、時刻ｔ５１から時刻ｔ５２までの期間に、タイミング制御回路４００からプリチャージ用選択信号ＮＲＧが出力される。そして、タイミング制御回路４００からのプリチャージ用選択信号ＮＲＧの出力期間がプリチャージ期間となる。また、プリチャージ期間に、第３表示電位ｖ２（＋）と基準電位ｖ０とによって規定される、正極性のプリチャージ電圧に調整された画像信号ＶＩＤｋが、画像信号供給回路３００より本発明に係る「プリチャージ信号」として供給される。尚、プリチャージ電圧は表示電圧に対応させて負極性の電圧として生成されるようにしてもよい。
【０１３３】
サンプリング回路１０１ｂでは、プリチャージ用選択信号ＮＲＧに応じて各サンプリングスイッチ２０２はまとめてオン状態となる。そして、プリチャージ電圧の画像信号ＶＩＤｋは、オン状態のサンプリングスイッチ２０２を介して複数のデータ線１１４にまとめて供給され、各データ線１１４はプリチャージされる。
【０１３４】
その後、時刻ｔ５３から時刻ｔ５４までの画像信号供給期間に、サンプリング信号供給回路１０１ａから供給されたサンプリング信号Ｓ１、Ｓ２，・・・、Ｓｎに応じて、サンプリング回路１０１ｂでは再び、一群に属するサンプリングスイッチ２０２毎に順にオン状態となる。そして、画像信号供給回路３００から供給された表示電圧の画像信号ＶＩＤｋは、オン状態のサンプリングスイッチ２０２を介してデータ線１１４に供給され、該データ線１１４を介して第１番目の走査線１１２に対応する画素部７０に供給される。
【０１３５】
その後、第２部分領域１０ａｂにおいて、走査信号Ｇ３が供給されることにより、時刻ｔ５５から時刻ｔ５８までの期間が、第２番目の走査線１１２の走査信号供給期間となる。第２番目の走査線１１２の走査信号供給期間内において、時刻ｔ５６から時刻ｔ５７までの黒信号供給期間に、黒信号供給用選択信号ＮＲＧ’に応じてまとめてオン状態となった黒信号供給用スイッチ２０４を介して複数のデータ線１１４にまとめて黒表示電圧の画像信号ＶＩＤｋ（図１５中、太線で示された部分）が供給され、画像信号ＶＩＤｋは各データ線１１４を介して第２番目の走査線１１２に対応する画素部７０に供給される。
【０１３６】
その後、第１部分領域１０ａａにおいて、走査信号Ｇ２が供給されることにより、時刻ｔ５８から時刻ｔ６３までの期間が、第３番目の走査線１１２の走査信号供給期間となる。第３番目の走査線１１２の走査信号供給期間において、第１番目の走査線１１２の走査信号供給期間と同様に、時刻ｔ５９から時刻ｔ６０までのプリチャージ期間に各データ線１１４がプリチャージされた後、時刻ｔ６１から時刻６２までの画像信号供給期間に、第３番目の走査線１１２に対応する画素部７０に表示画像を表示するための画像信号ＶＩＤｋが書き込まれる。
【０１３７】
その後、第２部分領域１０ａｂにおいて、走査信号Ｇ４が供給されることにより、時刻ｔ６３から時刻ｔ６６までの期間が、第４番目の走査線１１２の走査信号供給期間となる。第４番目の走査線１１２の走査信号供給期間において、時刻ｔ６４から時刻６５までの黒信号供給期間に、第２番目の走査線１１２に対応する画素部７０と同様に、第４番目の走査線１１２に対応する画素部７０に黒色画像を表示するための画像信号ＶＩＤｋが書き込まれる。
【０１３８】
よって、第２実施形態では、第１部分領域１０ａａにおける各走査線１１２の走査信号供給期間内に、画像信号供給期間に先立つプリチャージ期間にビデオプリチャージにより、各データ線１１４をプリチャージすることが可能となる。従って、画像信号供給期間に、各データ線１１４に対する画像信号ＶＩＤｋの書き込みを、比較的短時間で行うことが可能となる。
【０１３９】
＜３；第３実施形態＞
次に、本発明の電気光学装置に係る第３実施形態について説明する。第３実施形態において、電気光学装置としての液晶装置は、第１又は第２実施形態と比較して、後述するようにプリチャージ信号及び黒信号供給回路を備える点が異なる。よって、以下では、液晶装置の構成及び動作について、第１又は第２実施形態と異なる点についてのみ、図１６から図１８を参照して説明する。尚、第１又は第２実施形態と同様の構成については同一の符号を付して示し、重複する説明は省略する。
【０１４０】
先ず、図１６及び図１７を参照して、第３実施形態における液晶装置の全体構成について説明する。ここに、図１６は、第３実施形態における液晶装置の全体構成を示すブロック図であり、図１７は、第３実施形態における液晶パネルの電気的な構成を示すブロック図である。
【０１４１】
図１６において、液晶装置の主要部には、更にプリチャージ信号及び黒信号供給回路５００が含まれる。プリチャージ信号及び黒信号供給回路５００は、プリチャージ信号ＮＲＳ及び黒信号ＶＩＤｂを生成する。
【０１４２】
図１７において、プリチャージ信号ＮＲＳ及び黒信号ＶＩＤｂは、同一の供給信号線２７１に供給される。黒信号供給回路２００における黒信号供給用スイッチ２０４は、黒信号供給用選択信号ＮＲＧ’に応じて供給信号線２７１上の黒信号ＶＩＤｂを複数のデータ線１１４にまとめて供給する。また、各黒信号供給用スイッチ２０４は、黒信号供給用選択信号ＮＲＧ’とは異なる期間にタイミング制御回路４００から出力されるプリチャージ用選択信号ＮＲＧに応じてまとめてオン状態となる。そして、複数のデータ線１１４には、オン状態となった黒信号供給用スイッチ２０４を介して、プリチャージ信号供給回路５００から供給信号線２７１上に供給されたプリチャージ信号ＮＲＳが、まとめて供給される。
【０１４３】
続いて、図１６及び図１７に加えて図１８を参照して、第３実施形態における液晶装置の動作について説明する。図１８は、第３実施形態における液晶装置の動作に係る各種信号の経時的変化を示すタイミングチャートである。
【０１４４】
以下では、第１又は第２実施形態と同様に、走査線１１２の総本数ｍ＝４とし、且つ、図５に示すように画像表示領域１０ａを二等分して得られる第１部分領域１０ａａ及び第２部分領域１０ａｂについて領域走査する場合について説明する。
【０１４５】
図１８おいて、時刻ｔ７０に１垂直走査期間が開始されると、第１部分領域１０ａａにおいて、走査信号Ｇ１が供給されることにより、時刻ｔ７０から時刻ｔ７５までの期間が、第１番目の走査線１１２の走査信号供給期間となる。第１番目の走査線１１２の走査信号供給期間において、時刻ｔ７１から時刻ｔ７２までのプリチャージ期間に、プリチャージ用選択信号ＮＲＧに応じてまとめてオン状態となった黒信号供給用スイッチ２０４を介して、プリチャージ信号及び黒信号供給回路５００で生成された信号供給線２７１上のプリチャージ信号ＮＲＳが、複数のデータ線１１４にまとめて供給される。これにより、各データ線１１４はプリチャージされる。その後、時刻ｔ７３から時刻ｔ７４までの画像信号供給期間に、第１番目の走査線１１２に対応する画素部７０に表示画像を表示するための画像信号ＶＩＤｋが供給される。
【０１４６】
その後、第２部分領域１０ａｂにおいて、走査信号Ｇ３が供給されることにより、時刻ｔ７５から時刻ｔ７８までの期間が、第２番目の走査線１１２の走査信号供給期間となる。第２番目の走査線１１２の走査信号供給期間内において、時刻ｔ７６から時刻ｔ７７までの黒信号供給期間に、黒信号供給用選択信号ＮＲＧ’に応じてまとめてオン状態となった黒信号供給用スイッチ２０４を介して、プリチャージ信号及び黒信号供給回路５００で生成された信号供給線２７１上の黒信号ＶＩＤｂ（図１８中、太線で示す部分）が、複数のデータ線１１４にまとめて供給される。これにより、黒信号ＶＩＤｂは、各データ線１１４を介して第２番目の走査線１１２に対応する画素部７０に供給される。
【０１４７】
その後、第１部分領域１０ａａにおいて、走査信号Ｇ２が供給されることにより、時刻ｔ７８から時刻ｔ８３までの期間が、第３番目の走査線１１２の走査信号供給期間となる。第３番目の走査線１１２の走査信号供給期間において、第１番目の走査線１１２の走査信号供給期間と同様に、時刻ｔ７９から時刻ｔ８０までのプリチャージ期間に各データ線１１４がプリチャージされた後、時刻ｔ８１から時刻８２までの画像信号供給期間に、第３番目の走査線１１２に対応する画素部７０に表示画像を表示するための画像信号ＶＩＤｋが書き込まれる。
【０１４８】
その後、第２部分領域１０ａｂにおいて、走査信号Ｇ４が供給されることにより、時刻ｔ８３から時刻ｔ８６までの期間が、第４番目の走査線１１２の走査信号供給期間となる。第４番目の走査線１１２の走査信号供給期間において、時刻ｔ８４から時刻８５までの黒信号供給期間に、第２番目の走査線１１２に対応する画素部７０と同様に、第４番目の走査線１１２に対応する画素部７０に黒信号ＶＩＤｂが書き込まれる。
【０１４９】
よって、第３実施形態では、第１部分領域１０ａａにおける各走査線１１２の走査信号供給期間内に、画像信号供給期間に先立つプリチャージ期間に通常のプリチャージにより、各データ線１１４をプリチャージすることが可能となる。
【０１５０】
ここで、以上説明した第１から第３実施形態では、図１７に示すような一系統の信号供給線上に、画像信号供給回路３００とは別に設けられた黒信号供給回路から黒信号ＶＩＤｂが供給されるようにし、更に、黒信号供給回路２００における黒信号供給用スイッチ２０４から各データ線１１４にまとめて黒信号ＶＩＤｂが供給されるようにしてもよい。この場合、上述した第３実施形態との違いは、プリチャージ信号ＮＲＳは信号供給線上に供給されず、黒信号ＶＩＤｂのみが供給される点にある。
【０１５１】
＜４；電子機器＞
次に、上述した液晶装置を各種の電子機器に適用する場合について説明する。
【０１５２】
＜４−１：プロジェクタ＞
まず、この液晶装置をライトバルブとして用いたプロジェクタについて説明する。図１９は、プロジェクタの構成例を示す平面配置図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂおよび１１１０Ｇに入射される。これら３つのライトバルブ１１１０Ｒ、１１１０Ｂおよび１１１０Ｇは夫々液晶装置を含む液晶モジュールを用いて構成されている。
【０１５３】
ライトバルブ１１１０Ｒ、１１１０Ｂおよび１１１０Ｇにおいて液晶パネル１００は、画像信号供給回路３００から供給されるＲ、Ｇ、Ｂの原色信号でそれぞれ駆動されるものである。そして、これらの液晶パネル１００によって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１５４】
ここで、各ライトバルブ１１１０Ｒ、１１１０Ｂおよび１１１０Ｇによる表示像について着目すると、ライトバルブ１１１０Ｇによる表示像は、ライトバルブ１１１０Ｒ、１１１０Ｂによる表示像に対して左右反転することが必要となる。
【０１５５】
なお、ライトバルブ１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【０１５６】
＜４−２：モバイル型コンピュータ＞
次に、液晶装置を、モバイル型のパーソナルコンピュータに適用した例について説明する。図２０は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【０１５７】
＜４−３；携帯電話＞
さらに、液晶装置を、携帯電話に適用した例について説明する。図２１は、この携帯電話の構成を示す斜視図である。図において、携帯電話１３００は、複数の操作ボタン１３０２とともに、反射型の液晶装置１００５を備えるものである。この反射型の液晶装置１００５にあっては、必要に応じてその前面にフロントライトが設けられる。
【０１５８】
尚、図１９から図２１を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【０１５９】
本発明は、上述した実施形態に限られるものではなく、請求の範囲及び明細書全体から読み取れる発明の要旨或いは思想に反しない範囲で適宜変更可能であり、そのような変更を伴う電気光学装置の駆動回路及び駆動方法、該駆動回路を備えてなる電気光学装置、並びに該電気光学装置を備えてなる電子機器もまた本発明の技術的範囲に含まれるものである。
【図面の簡単な説明】
【０１６０】
【図１】液晶パネルの全体構成を示す平面図である。
【図２】図１のＨ−Ｈ’断面図である。
【図３】液晶装置の全体構成を示すブロック図である。
【図４】液晶パネルの電気的な構成を示すブロック図である。
【図５】走査線駆動回路の構成例を示す図である。
【図６】画像信号供給回路における画像信号の生成について説明するための説明図である。
【図７】走査線駆動回路の動作について説明するためのタイミングチャートである。
【図８】各データ線及び各走査線を駆動するための各種信号の経時的変化を示すタイミングチャートである。
【図９】図９（ａ）及び図９（ｂ）は、第１実施形態における領域走査を概念的に説明するための説明図である。
【図１０】図１０（ａ）は、第１実施形態における表示画面を模式的に示す図であり、図１０（ｂ）は、比較例における表示画面を模式的に示す図である。
【図１１】本変形例における液晶装置の一の動作を説明するためのタイミングチャートを示す図である。
【図１２】本変形例における液晶装置の他の動作を説明するためのタイミングチャートを示す図である。
【図１３】第２実施形態における液晶装置の全体構成を示すブロック図である。
【図１４】第２実施形態における液晶パネルの電気的な構成を示すブロック図である。
【図１５】第２実施形態における液晶装置の動作に係る各種信号の経時的変化を示すタイミングチャートである。
【図１６】第３実施形態における液晶装置の全体構成を示すブロック図である。
【図１７】第３実施形態における液晶パネルの電気的な構成を示すブロック図である。
【図１８】第３実施形態における液晶装置の動作に係る各種信号の経時的変化を示すタイミングチャートである。
【図１９】液晶装置を適用した電子機器の一例たるプロジェクタの構成を示す平面図である。
【図２０】液晶装置を適用した電子機器の一例たるパーソナルコンピュータの構成を示す斜視図である。
【図２１】液晶装置を適用した電子機器の一例たる携帯電話の構成を示す斜視図である。
【符号の説明】
【０１６１】
１０ａ…画像表示領域、１０ａａ…第１部分領域、１０ａｂ…第２部分領域、７０…画素部、１００…液晶パネル、１０１…データ線駆動回路、１０４…走査線駆動回路、１１２…走査線、１１４…データ線、１１８…液晶素子、２００…黒信号供給回路、３００…画像信号供給回路
【図１】
0004622320.tif 000002
【図２】
0004622320.tif 000003
【図３】
0004622320.tif 000004
【図４】
0004622320.tif 000005
【図５】
0004622320.tif 000006
【図６】
0004622320.tif 000007
【図７】
0004622320.tif 000008
【図８】
0004622320.tif 000009
【図９】
0004622320.tif 000010
【図１０】
0004622320.tif 000011
【図１１】
0004622320.tif 000012
【図１２】
0004622320.tif 000013
【図１３】
0004622320.tif 000014
【図１４】
0004622320.tif 000015
【図１５】
0004622320.tif 000016
【図１６】
0004622320.tif 000017
【図１７】
0004622320.tif 000018
【図１８】
0004622320.tif 000019
【図１９】
0004622320.tif 000020
【図２０】
0004622320.tif 000021
【図２１】
0004622320.tif 000022